(57)【要約】【課題】  用便を収容するスペースを広く確保すると同時に、使用者の足を配置するスペースを広く確保する構成を低コストに実現することができるようにする。【解決手段】  本発明の組立式トイレ１は、内側に用便を収容するように上下に延びる略筒状に形成されたトイレ本体２と、該トイレ本体２の上側の開口に取り付けられ、用便用の開口２０が設けられた便座部５とを備えている。そして、トイレ本体２は、前壁部２ａと、該前壁部２ａの左右両端部をそれぞれ支持する一対の側壁部２ｃとを含み、前壁部２ａは、その上側ほど前側になるように傾斜されて上縁部が便座部５の前縁部を支持するように構成されている。【選択図】      図１
2006081657.tif 000002
【特許請求の範囲】
【請求項１】
内側に用便を収容するように上下に延びる略筒状に形成されたトイレ本体と、該トイレ本体の上側の開口に取り付けられ、用便用の開口が設けられた便座部とを備えた組立式トイレであって、
前記トイレ本体は、前壁部と、該前壁部の左右両端部をそれぞれ支持する一対の側壁部とを含み、
前記前壁部は、その上側ほど前側になるように傾斜されて上縁部が便座部の前縁部を支持するように構成された組立式トイレ。
【請求項２】
前記前壁部は、幅方向における中央部が前方に突出するように形成された請求項１記載の組立式トイレ。
【請求項３】
前記トイレ本体の前側内面及び後側内面に、前側外面及び後側外面が略当接するように配設され、上下に延びる筒状の内枠体を備え、
該内枠体は、その上端で前記便座部の開口の周囲を下側から支持するとともに、その内側に用便を収容するように構成され、
該内枠体の後部が、前記トイレ本体の後部に対して上方へ又は／及び左右へずれないようにするために、互いに嵌合する凹部及び凸部が、前記内枠体の後部と、前記トイレ本体の後部とに相対的に設けられた請求項１又は２記載の組立式トイレ。
【請求項４】
前記便座部における前記開口の両側部は、側面視で、前記便座部の後端部から少なくとも用便中の使用者の略重心位置までが、上下に延びる支持体により下側から支持された請求項１〜３のいずれか一項に記載の組立式トイレ。
【発明の詳細な説明】
【技術分野】
【０００１】
本発明は、組立式トイレに関するものである。
【背景技術】
【０００２】
従来の組立式トイレとしては、本出願人によるダンボール製の椅子式トイレ（特許文献１参照。）を例示する。このトイレは、図９に示すように、開口四角の蓄便袋収納箱（図示略）の前後の板をこれらと同じ高さの前後の枠板および肘掛管９１に達する高さの左右の枠板を有する内枠８３の中央に内接接着させ、内枠８３の左右の空所上縁に断面コの字状の内枠補強材８４を内枠８３の正面から突出させて埋没係止し、内枠８３の左右の枠板と同じ高さで、左右の枠板の幅を内枠８３の左右の枠板の幅より内枠補強材８４が内枠８３の正面から突出している部分だけ長くしかつその分を内側に折返しているコの字状の外枠８５で内枠８３を被覆接着し、内枠８３と外枠８５による左右の枠板頂部にその下端に溝を設けた肘掛管９１を嵌合し、外枠８５の左右の枠板に接続し下端を合わせて横倒防止箱８６を形成し、別途、左右の肘掛管９１に内接する幅と内枠補強材８４の長さに相当する長さの座板８７およびこれと同形の背もたれ９０を折り曲げ自在に連接し、座板８７には中央に帯状の縁取りをした便座８８を設け、便座８８の周縁と座板８７との間に隙間を設けてあるものを内枠補強材８４上に載置し、便座８８周縁の隙間にプラスチック製蓄便袋８９の開口をはさんで固定し、背もたれ９０は外枠８５の後方枠板に当接して使用することからなっている。
【０００３】
【特許文献１】実用新案登録第３０７９１２４号公報
【発明の開示】
【発明が解決しようとする課題】
【０００４】
ところで、椅子式トイレにおいては、座面が広い方が使用者の臀部が広く支持されるので、座り心地がよい点で好ましい。また、平面視における使用者の用便中の重心位置と足裏位置とが近い姿勢となる方が、踏ん張りが利いて身体に力が入るので用便がし易く、しかも使用後に容易に立ち上がることができる点で好ましい。特に、この立ち上がり易さは、手で身体を支えないと立ち上がれないような足の不自由な者（例えば、足の障害者や、脚力が衰えた高齢者等。）に対しては、使い勝手を大きく左右するポイントとなっている。そこで、従来の椅子式トイレにおいては、座面を広くするために座板８７の面積を広くするとともに、前記姿勢となるように、内枠８３の前面が座板８７の前縁よりも奥まった位置になるように構成している。この構成では、内枠８３の前面が座板８７の前縁よりも奥まった位置にあるので、座板８７における内枠前面から前方に張り出した部位を補強する必要があり、内枠８３の上端部の左右両側に前後に延びる内枠補強材８４を架け渡している。そして、これにより、使用者の体重が掛かる座板８７の開口の両側をも補強するようになっている。このため、内枠補強材８４は、複数枚のダンボールを積層させるとともに、これらのダンボールを断面コ字状に折り曲げることにより形成されることにより、剛性を備えさせる必要があり、材料及び製作のコストが掛かるという課題がある。
【課題を解決するための手段】
【０００５】
上記課題を解決するために、第１の発明の組立式トイレは、
内側に用便を収容するように上下に延びる略筒状に形成されたトイレ本体と、該トイレ本体の上側の開口に取り付けられ、用便用の開口が設けられた便座部とを備えた組立式トイレであって、
前記トイレ本体は、前壁部と、該前壁部の左右両端部をそれぞれ支持する一対の側壁部とを含み、
前記前壁部は、その上側ほど前側になるように傾斜されて上縁部が便座部の前縁部を支持するように構成されている。
【０００６】
この構成によれば、前記前壁部がその上側ほど前側になるように傾斜されているので、前記トイレ本体の内方の上部に用便を収容するスペースを広く確保すると同時に、前記トイレ本体の前方の下部に使用者の足を配置するスペースを広く確保することができる。また、前記前壁部の上縁部が前記便座部の前記前縁部を支持するようになっているので、該前縁部を支持する部材（従来例における内枠補強材等）を別途設けなくても充分な強度を確保することができ、コストを低減することができる。
【０００７】
第２の発明の組立式トイレとしては、前記第１の発明において、
前記前壁部は、幅方向における中央部が前方に突出するように形成された態様を例示する。
【０００８】
この構成によれば、前記トイレ本体の内方における幅方向中央部に用便を収容するスペースを広く確保すると同時に、前記トイレ本体の前方における幅方向両側部に使用者の足を配置するスペースを確保することができる。
【０００９】
第３の発明の組立式トイレとしては、前記第１または２の発明において、
前記トイレ本体の前側内面及び後側内面に、前側外面及び後側外面が略当接するように配設され、上下に延びる筒状の内枠体を備え、
該内枠体は、その上端で前記便座部の開口の周囲を下側から支持するとともに、その内側に用便を収容するように構成され、
該内枠体の後部が、前記トイレ本体の後部に対して上方へ又は／及び左右へずれないようにするために、互いに嵌合する凹部及び凸部が、前記内枠体の後部と、前記トイレ本体の後部とに相対的に設けられた態様を例示する。
【００１０】
この構成によれば、前記内枠体が前記便座部の開口の周囲を下側から支持することにより、前記便座部を補強するようになっている。また、前記内枠体は、前記トイレ本体の前側内面及び後側内面に、前側外面及び後側外面が略当接するように配設されており、さらに、前記トイレ本体の後部に対して「上方へ」ずれないようにすると、互いに嵌合する凹部及び凸部が、前記内枠体の後部と、前記トイレ本体の後部とに相対的に設けられているので、該内枠体の前部が前記便座部の前記前縁部を支持することにより、前記前壁部を補強するようになっている。また、前記凹部及び前記凸部は、互いに嵌合することにより、前記内枠体の後部が、前記トイレ本体の後部に対して「左右へ」ずれないようにすると、前記内枠体の開口が前記便座部の開口に略一致するように位置決めすることができる。
【００１１】
第４の発明の組立式トイレとしては、前記第１〜３のいずれかの発明において、
前記便座部における前記開口の両側部は、側面視で、前記便座部の後端部から少なくとも用便中の使用者の略重心位置までが、上下に延びる支持体により下側から支持された態様を例示する。
【００１２】
この構成によれば、前記便座部における前記開口の両側部であって、（Ａ）前記便座部の後部と、（Ｂ）用便中の使用者の略重心位置とを補強することができる。前記（Ａ）については、出願人の調査・研究によれば、足の不自由な者は、まず便座部の前側に浅く腰掛け、両手を便座部の後部に付いて、該両手で臀部を軽く浮かせながら後方に移動させることにより、便座部に徐々に深く腰掛けることが多いことが判明しているからである。また、前記（Ｂ）については、着座時や用便中において、使用者の臀部が接することにより、その体重がかかる位置だからである。従って、この構成により、便座部を効果的に補強することができる。
【発明の効果】
【００１３】
本発明に係る組立式トイレによれば、用便を収容するスペースを広く確保すると同時に、使用者の足を配置するスペースを広く確保する構成を低コストに実現することができるという優れた効果を奏する。
【発明を実施するための最良の形態】
【００１４】
図１〜図８は本発明を具体化した一実施形態の組立式トイレ１を示している。この組立式トイレ１は、図１〜図３に示すように、内側に用便を収容し、上下に延びる略筒状に形成されたトイレ本体２と、該トイレ本体２における後壁部２ｂ及びその左右の側壁部２ｃを補強する外枠体３と、該トイレ本体２内に配設され上下に延びる筒状の内枠体４と、該トイレ本体２の上側の開口に取り付けられ、用便用の開口２０が設けられた便座部５と、該便座部５に被せる便蓋６と、左右一対の肘掛け７とを備えている。本例では、トイレ各部を構成する板状体１１〜１７としては、紙ダンボールが採用されているものとするが、プラスチックダンボール等の他の板状体を適宜採用することもできる。また、板状体１１〜１７同士の固定手段としては、特に限定されないが、接着剤、ステープル、粘着テープ等による固定手段を例示する。また、各板状体１１〜１７に設けられた折り目形成線２１，２２としては、特に限定されないが、凹筋やミシン目が設けられた態様を例示する。
【００１５】
トイレ本体２は、主に図２、図３、図４に示すように、第一板状体１１及び第二板状体１２からなっている。第一板状体１１は、背もたれにもなる後壁部２ｂと、該後壁部２ｂの左右それぞれに折り目形成線２１を介して連設された側壁部２ｃと、該後壁部２ｂ及び該各側壁部２ｃの下端それぞれに折り目形成線２１を介して連設された底壁部２ｄ，２ｅとを備えている。後壁部２ｂと両側壁部２ｃとの間にそれぞれ設けられた折り目形成線２１の略中央部には、該折り目形成線２１に沿って縦長に延びる凹部としての被係止穴２ｈが設けられており、該被係止穴２ｈには、後述する内枠体４の支持体に設けられた凸部としての係止片４ｈが係止されるようになっている。第二板状体１２は、上下に延びる左右一対の折り目形成線２１により区分された３つの部位からなる前壁部２ａと、該前壁部２ａの左右それぞれに折り目形成線２１を介して連設された接続片２ｇと、該前壁部２ａの下端に折り目形成線２１を介して連設された底壁部２ｆとを備えている。
【００１６】
このトイレ本体２は、製品の使用前の状態では、第一板状体１１の左右の側壁部２ｃの前端側に、それぞれ第二板状体１２の左右の接続片２ｇが固定されることにより、筒状に形成されるとともに、第一板状体１１及び第二板状体１２の幅方向中央に設けられた折り畳み用折り目形成線２２で折り曲げられて折り畳まれた状態となっている。そして、トイレ本体２は、製品の使用時には、（１）折り畳み用折り目形成線２２で開かれるとともに、各折り目形成線２１で折り曲げられることにより、前壁部２ａ、後壁部２ｂ、及び両側壁部２ｃが略筒状になるように形成され（このとき、図２に示すように前壁部２ａは、左右の折り目形成線２１で折り曲げられ、幅方向における中央部が前方に突出するようになっている。）、（２）後壁部２ｂに連設された底壁部２ｄが内側に折り曲げられるとともに前壁部２ａに連設された底壁部２ｆが内側に折り曲げられ、両底壁部２ｄ，２ｆの先端面が互いに当接した状態で固定され、（３）両側壁部２ｃに連設された底壁部２ｅが内側に折り曲げられ、前壁部２ａ及び後壁部２ｂの底壁部２ｄ，２ｆの下側に重ねられるとともに互いの先端面が当接された状態で底壁部２ｄ，２ｆに固定される。この状態では、図３に示すように、前壁部２ａは、その上側ほど前側になるように傾斜されて上縁部が便座部５の前縁部を支持するように構成されるとともに、下縁部が側面視で両側壁部２ｃの底辺前端よりも後側に位置するように配設された状態になるように構成されている。また、前壁部２ａの下端には底壁部２ｆが連設されており、該底壁部２ｆは内側に折り曲げられ、その先端面が、後壁部２ｂに連設された底壁部２ｄの先端面に当接されるようになっており、これによって、前壁部２ａの下端が、底壁部２ｆ，２ｄを介して後壁部２ｂに支持されるようになっている。また、底壁部２ｆ，２ｄには、両側壁部２ｃに連設された底壁部２ｅが固定されるので、前壁部２ａの下端は、底壁部２ｅ等を介して両側壁部２ｃにも支持されるようになっている。このように前壁部２ａの下端を支持することにより、便座部５を介して前壁部２ａに荷重が掛かった場合でも、前壁部２ａの形状や状態を保持することができるようにしている。
【００１７】
外枠体３は、主に図２、図３、図５に示すように外枠後壁部３ｂと、該外枠後壁部３ｂの左右それぞれに折り目形成線２１を介して連設された外枠側壁部３ｃと、該両外枠側壁部３ｃの側端それぞれに折り目形成線２１を介して連設された係止部３ｄとを備えた第三板状体１３からなっている。
【００１８】
この外枠体３は、製品の使用前の状態では、図２に示すように、係止部３ｄが内側に折り返されるとともに、その折り返しの内奥側が固定され、さらに折り畳み用折り目形成線２２で二つ折りにされた状態となっている。そして、外枠体３は、製品の使用時には、（１）折り畳み用折り目形成線２２で開かれ、（２）各折り目形成線２１で折り曲げられることにより、外枠後壁部３ｂ、両外枠側壁部３ｃが平面視コ字状に形成され、（３）外枠後壁部３ｂ及び両外枠側壁部３ｃがトイレ本体２の後壁部２ｂ及び両側壁部２ｃの外面側にそれぞれ装着され、（４）両係止部３ｄがトイレ本体２の両側壁部２ｃ前縁にそれぞれ係止される。
【００１９】
肘掛け７は、断面Ｃ字状に形成された柔軟性のある部材であり、本例では発泡樹脂からなるものを例示する。肘掛け７は、製品の使用時に、図８に示すように、側壁部２ｃ及び外枠側壁部３ｃの上端縁に装着されるようになっている。
【００２０】
内枠体４は、主に図２、図３、図６、図７に示すように、第四板状体１４及び第五板状体１５からなっている。第四板状体１４は、内枠前壁部４ａと、該内枠前壁部４ａの左右それぞれに折り目形成線２１を介して連設された内枠側壁部４ｃと、該両内枠側壁部４ｃの側端それぞれに折り目形成線２１を介して連設された接続片４ｄとを備えている。第五板状体１５は、内枠後壁部４ｂと、該内枠後壁部４ｂの左右それぞれに折り目形成線２１を介して連設された支持体４ｅとを備えている。各支持体４ｅは、幅方向略中央に上下へ延びる折り目形成線２１が設けられているとともに、側端にトイレ本体２の被係止穴２ｈに係合する係止片４ｈが設けられている。
【００２１】
この内枠体４は、製品の使用前の状態では、第四板状体１４の各折り目形成線２１で内側に折り曲げられ、接続片４ｄが第五板状体１５の内枠後壁部４ｂに固定されることにより、内枠前壁部４ａ、内枠後壁部４ｂ、及び左右の内枠側壁部４ｃが筒状となるように形成されており、折り目形成線２１で折り曲げられて折り畳まれた状態となっている。そして、内枠体４は、製品の使用時には、（１）内枠前壁部４ａ、内枠後壁部４ｂ、及び左右の内枠側壁部４ｃが筒状となるように開かれ、（２）内枠後壁部４ｂと支持体４ｅとの間の折り目形成線２１で支持体４ｅが前方に折り曲げられるとともに、支持体４ｅの側端側が折り目形成線２１で後方に折り曲げられることにより平面視Ｖ字状に形成され、（３）トイレ本体２の前側内面及び後側内面に、内枠体４の前側外面及び後側外面が略当接するようにしてトイレ本体２内に内枠体４が配設されるとともに、係止片４ｈがトイレ本体２の被係止穴２ｈに係合される（図７に二点鎖線で示す状態参照）。内枠体４は、その上端で便座部５の開口２０の周囲を下側から支持するとともに、その内側に蓄便袋８（バケツ等の容器を利用することも可能。）が装着され、用便を収容するように構成されている。蓄便袋８は、本例に示すように、その開口を結束するための紐８ａが設けられていることが好ましい。また、用便後は、蓄便袋８内に凝固剤や消臭剤を入れることが好ましい。このとき、凝固剤を入れる場合は、用便前に５００ｍｌ程度の水を入れておくと、ジェル化した水が便を包み込み、臭いを防止し、蓄便袋が万一破れても便が流れ出ることもなく、使用済みの蓄便袋を安心して持ち運ぶことができる。
【００２２】
便座部５は、主に図８に示すように、用便用の開口２０が設けられた第六板状体１６と、開口２０の周囲に配設された形状適合材としてのクッション材９と、第六板状体１６と略同形状に形成され、該第六板状体１６の表面を覆うように配設された便座シート１０とを備えている。第六板状体１６は、用便用の開口２０が設けられた座板部５ａと、該座板部５ａの左右それぞれに折り目形成線２１を介して連設された差込片５ｂとを備えている。この第六板状体１６は、両差込片５ｂがそれぞれ下方に折り曲げられ、該差込片５ｂの外面がトイレ本体２の側壁部２ｃの内面に当接するととも、該差込片５ｂの前端側が、トイレ本体２の側壁部２ｃと前壁部２ａに連設された接続片２ｇとの間に挿入されて挟持されるようになっている。クッション材９としては、特に限定されないが、スポンジや、ゲル状体を袋詰めしてなるゲルクッション材等を例示し、本例では、座板部５ａにおける開口２０の両側にそれぞれ配設されている。便座シート１０としては、耐水性を備えるシートであれば特に限定されないが、発泡シート、ビニールシート等を例示する。便座部５における開口２０の両側部は、図３に示すように、側面視で、便座部５の後端部から少なくとも用便中の使用者の略重心位置までが、内枠体４の後部に取り付けられて上下に延びる支持体４ｅにより下側から支持されるようになっている。
【００２３】
便蓋６は、主に図８に示すように、座板部５ａと略同形状に形成された第七板状体１７からなっている。
【００２４】
次に、本発明の組立式トイレ１の使用方法について順を追って説明する。
（１）使用前の状態にあるトイレ本体２を上述の通り組み立てる（図４参照）。
（２）使用前の状態にある外枠体３を上述の通り組み立ててトイレ本体２に取り付ける（図５参照）。
（３）使用前の状態にある内枠体４を上述の通り組み立ててトイレ本体２に取り付ける（図７参照）。
（４）内枠体４内に蓄便袋８を押し込んで十分広げるとともに、蓄便袋８の開口縁部を外側に折り返し、内枠体４の上端縁部に被せるようにして装着する（図８参照）。
（５）使用前の状態にある便座部５を上述の通り組み立ててトイレ本体２に装着するとともに、該便座部５の上に便蓋６を載置する（図８参照）。
（６）肘掛け７をトイレ本体２の側壁部２ｃと外枠体３の外枠側壁部３ｃとが重ね合わされてなる壁体の上端縁部に肘掛け７を取り付けると組立式トイレ１が完成する（図８参照）。
【００２５】
以上のように構成された本例の組立式トイレ１によれば、前壁部２ａがその上側ほど前側になるように傾斜されているので、トイレ本体２の内方の上部に用便を収容するスペースを広く確保すると同時に、トイレ本体２の前方の下部に使用者の足を配置するスペースを広く確保することができる（図３の二点鎖線で表示された足を参照）。また、前壁部２ａの上縁部が便座部５の前縁部を支持するようになっているので、該前縁部を支持する部材（従来例における内枠補強材等）を別途設けなくても充分な強度を確保でき、コストを低減することができる。
【００２６】
また、前壁部２ａは、幅方向における中央部が前方に突出するように形成されているので、トイレ本体２の内方における幅方向中央部に用便を収容するスペースを広く確保すると同時に、トイレ本体２の前方における幅方向両側部に使用者の足を配置するスペースを確保することができる。また、この形状を採用することにより、前壁部２ａの略上下方向に加わる荷重に対する強度を向上させることができる。
【００２７】
また、内枠体４が便座部５の開口の周囲を下側から支持することにより、便座部５を補強するようになっている。また、内枠体４は、トイレ本体２の前側内面及び後側内面に、前側外面及び後側外面が略当接するように配設されており、さらに、トイレ本体２の後部に対して「上方へ」ずれないようにするために、互いに嵌合する被係止穴２ｈ及び係止片４ｈが、内枠体４の後部と、トイレ本体２の後部とに相対的に設けられているので、該内枠体４の前部が便座部５の前縁部を支持することにより、前壁部２ａを補強するようになっている。また、この被係止穴２ｈ及び係止片４ｈは、互いに嵌合することにより、内枠体４の後部が、トイレ本体２の後部に対して「左右へ」ずれないようにするので、内枠体４の開口が便座部５の開口２０に略一致するように位置決めすることができる。
【００２８】
また、便座部５における開口２０の両側部は、側面視で、便座部５の後端部から少なくとも用便中の使用者の略重心位置までが、上下に延びる支持体４ｅにより下側から支持されているので、便座部５における開口２０の両側部であって、（Ａ）便座部５の後部と、（Ｂ）用便中の使用者の略重心位置とを補強することができる。前記（Ａ）については、出願人の調査・研究によれば、足の不自由な者は（図３の二点鎖線で表示された使用者の上半身を参照）、まず便座部５の前側に浅く腰掛け、両手を便座部５の後部に付いて、該両手で臀部を軽く浮かせながら後方に移動させることにより、便座部５に徐々に深く腰掛けることが多いことが判明しているからである。また、前記（Ｂ）については、着座時や用便中において、使用者の臀部が接することにより、その体重がかかる位置だからである。従って、この構成により、便座部５を効果的に補強することができる。
【００２９】
さらに、本例の組立式トイレ１は次の効果をも奏するようになっている。
（１）便蓋６をすれば一見トイレとは見えにくく、例えば寝室や病室に設置した場合でも来客に気を使わずに済む。
（２）プラスチック製や、木材とプラスチックとを併用してなる組立式トイレにおいては、一般に、他人が使用して不要になった中古品を使う人は少なく、粗大ゴミとなることが多い。しかし、本例の組立式トイレ１はその大部分を構成する板状体１１〜１７に紙ダンボールが採用されているので、不要になったときに板状体１１〜１７を有害煙の発生なく完全に焼却することができるほか、再生紙としてリサイクルすることもでき、環境に優しい。しかも、大部分が紙ダンボール製であるため、安価に製作することができる。
（３）本例の組立式トイレ１は、組立式であるため折り畳んだコンパクトな状態で運搬することができ、しかも、その大部分が紙ダンボール製であって軽いので、運搬や組立を容易に行うことができる。このため、必要に応じて様々な場所に持ち運んで設置できる。特に、災害時に移動トイレとすることができ、高齢者や身体障害者に便利である。
（４）排出した便を着脱交換式の蓄便袋８に蓄えるようになっているので、災害時、バキュームカーが入れない場所でも蓄便済み蓄便袋８だけを取り外して容易に持ち運ぶことができ、非常に便利である。また、福祉のレクリエーション等のアウトドア活動において、蓄便袋８により便を持ち帰ることができ、自然環境保護にも役立つ。さらに、蓄便袋８内に凝固剤や消臭剤を適宜添加することにより、便の後処理が容易になる。
【００３０】
なお、本発明は前記実施形態に限定されるものではなく、例えば、支持体４ｅに凹部を設け、トイレ本体２に凸部を設けるようにする等、発明の趣旨から逸脱しない範囲で適宜変更して具体化することもできる。
【図面の簡単な説明】
【００３１】
【図１】本発明を具体化した一実施形態に係る組立式トイレの斜視図である。
【図２】図１のＩＩ−ＩＩ線断面図である。
【図３】図１のＩＩＩ−ＩＩＩ線断面図である。
【図４】同組立式トイレのトイレ本体の組立方法を示す斜視図である。
【図５】同組立式トイレの内枠体の組立方法を示す斜視図である。
【図６】同組立式トイレの内枠体の装着方法を示す斜視図である。
【図７】同組立式トイレの外枠体の装着方法を示す斜視図である。
【図８】同組立式トイレの便座部、肘掛け等の装着方法を示す斜視図である。
【図９】従来の組立式トイレの斜視図である。
【符号の説明】
【００３２】
１    組立式トイレ
２    トイレ本体
２ａ  前壁部
２ｃ  側壁部
２ｈ  被係止穴
３    外枠体
４    内枠体
４ｅ  支持体
４ｈ  係止片
５    便座部
６    便蓋
７    肘掛け
８    蓄便袋
２０    開口
【図１】
2006081657.tif 000003
【図２】
2006081657.tif 000004
【図３】
2006081657.tif 000005
【図４】
2006081657.tif 000006
【図５】
2006081657.tif 000007
【図６】
2006081657.tif 000008
【図７】
2006081657.tif 000009
【図８】
2006081657.tif 000010
【図９】
2006081657.tif 000011